Podtech/llm-jp-corpus-v4-ja_patent huggingface dataset:
(57)【要約】　　　（修正有）【課題】施工時に一方の板部材だけに変形応力が掛からぬようにする。【解決手段】建築用Ｌ型金物本体の隅角の中央部に仮止め用孔を設ける。この孔に仮止め用の釘を斜めに打ち込んでＬ型金物を直角の隅角部に仮止めしてから木ネジで締結固定する。【選択図】　　　　図１
0003098087.tif 000002
【実用新案登録請求の範囲】
【請求項１】
Ｌ字形に連なる垂直片と水平片とからなり、建築物の互いに直交する木造軸組の入り隅部に設置される建築用Ｌ型金物であって、Ｌ型金物本体の隅角部に仮止め用孔を設けたことを特徴とする建築用Ｌ型金物。
【請求項２】
隅角部を一部カットした補強片によって垂直片と水平片を繋いで固定した請求項１記載の建築用Ｌ型金物。
【考案の詳細な説明】
【０００１】
【考案の属する技術分野】
本考案は、例えば柱と土台もしくは梁または桁などの木造軸組の垂直面で直交する隅角部、あるいは梁または桁同士の水平面で直交する隅角部の接合において、入り隅部に固定して両者の係合に使用される建築用Ｌ型金物に関する。
【０００２】
【従来の技術】
木造建築物の互いに直交する木造軸組の入り隅部に設置して木造建築物を補強し、かつ耐震性を向上させるために、土台と柱との間や柱と梁との間などの入り隅部に取り付けて補強する補強金物が考えられている。例えば、鉄板をプレス加工して構成した補強金物で、Ｌ字形に連なる垂直取付板部材と水平取付板部材からなり、そのＬ字形板部材に取付孔を設けたＬ型金物（例えば特許文献１参照）、あるいはこのＬ型金物の両取付板部材をつなぐ２枚の連結側板（傾斜板）部材からなり、各取付板部材には取付孔を設けた補強金物（特許文献２）などが提案されている。
【０００３】
【特許文献１】
特開平９−１３７５０５号公報
【特許文献２】
特開平１０−１３１２９５号公報（特許第３３２５１９０号）
【０００４】
【考案が解決しようとする課題】
しかしながら、上記の補強金物を例えば土台と柱のなす入り隅部などに取り付けて使用する場合、垂直取付板部材をその取付孔に木ネジあるいはスクリューネジなどを利用して柱の側面に固着し、水平取付板部材をその取付孔に木ネジなどを利用して土台の表面に固着するが、このとき一方の部材、例えば垂直取付板部材（垂直片）を柱に固定すると、他方の水平取付板部材（水平片）が常に土台に密着するとは限らず多少の隙間ができるような場合が少なくない。
【０００５】
このようなときに生じる隙間は通常そのまま木ネジなどを用いて強引に土台表面に固着させることになるが、補強金物に大なり小なり変形応力を発生させることは避けられない。このような使用状態において一定以上の外力を受けたとき、補強金物の耐力が次第に低下して補強効果が低下してしまうことが起こり得る。補強用Ｌ型金物については従来種々の改良する試みがなされているが、上記の問題についてこれを解消する提案はなされていない。本考案は上記の事情に鑑みてなされたもので、木造軸組の直交する隅角部の入り隅部の接合において、施工時に一方の板部材だけに変形応力が掛からぬように構成することにより、上記の問題を解決する建築用Ｌ型金物を提供することを目的とする。
【０００６】
【課題を解決するための手段】
上記の目的を達成するために、本考案による建築用Ｌ型金物は以下の構成としたものである。即ち本考案は、Ｌ字形に連なる垂直片と水平片とからなり、建築物の互いに直交する木造軸組の入り隅部に設置される建築用Ｌ型金物であって、Ｌ型金物本体の入り隅の角部に仮止め用孔を設けたことを特徴とする建築用Ｌ型金物である。本考案はまた、入り隅の角部を一部カットした補強片によって垂直片と水平片を繋いで固定することが好ましい態様である。
【０００７】
【考案の実施の形態】
以下、図に示す実施例に基づいて本考案に係る建築用Ｌ型金物について具体的に説明する。図１は本考案に係る建築用Ｌ型金物の１例を示す斜視図である。図１において、１は本考案に係る建築用Ｌ型金物で、１枚の鉄板をプレス加工して一体成形した垂直片２、水平片３および補強片４からなる。その補強片４は三角形状でなく、入り隅の角部が一部カットされて空隙となっている。この補強片４はその両端が垂直片２と水平片３にそれぞれ溶接部７および８で溶接されて略一体化されている。図１において、５が仮止め用孔で、垂直片２および水平片３には、取付孔６がそれぞれ４乃至６カ所設けられ、柱や梁、桁など木造軸組の骨格材に締結固定するための木ネジ孔となる。
【０００８】
図２は本考案に係る建築用Ｌ型金物を用いて木造軸組の入り隅部に施工した状態の１例として、土台１１と柱１２とでなす入り隅部に施工した状態を示す断面図である。図２において、１３はＬ型金物の仮止め用孔５を通して図のように斜めに打ち込んだ仮止め用釘、１４は締結固定用木ネジで、Ｌ型金物が土台１１と柱１２とに締結固定される。図１および図２では１例として締結固定用木ネジが垂直片および水平片にそれぞれ４個ずつ設けられ、仮止め用釘が隅角部の中央に１カ所設けられた場合を示したが、その個数は木造軸組の施工状況に応じて任意に設ければよい。
【０００９】
この場合の施工手順として、Ｌ型金物を入り隅部に当接させて仮止め用釘を打ち込んでＬ型金物を入り隅部に仮止めする。このように仮止めすれば、Ｌ型金物の垂直片または水平片のいずれか一方を締結固定した場合に比べ両片が土台と柱に平等に当接し易いことになる。その状態でＬ型金物の垂直片と水平片とを交互に締結固定用木ネジを締め込みながら固定してゆけば、Ｌ型金物の一方だけに変形応力を与えることなく、両片を平等にしっかりした木造軸組の入り隅部に施工することができる。
【００１０】
【考案の効果】
以上説明したように、本考案に係る建築用Ｌ型金物は上記の構成であるから、木造軸組の直交する隅角部の入り隅部の接合において、施工時にＬ型金物の一方の板部材だけに変形応力が掛からぬように施工することができ、Ｌ型金物の片方だけに過剰な変形応力が掛かりやすいという従来の問題を解決することができる。
【図面の簡単な説明】
【図１】本考案に係る建築用Ｌ型金物の１例の斜視図
【図２】本考案に係る建築用Ｌ型金物の施工状態の１例の断面図
【符号の説明】
１　本考案に係る建築用Ｌ型金物
２　垂直片
３　水平片
４　支持片
５　仮止め用孔
６　取付孔
７、８　溶接部
１１　土台
１２　柱
１３　仮止め用釘
１４　締結固定用木ネジ
【図１】
0003098087.tif 000003
【図２】
0003098087.tif 000004
(57)【要約】　　　（修正有）【課題】ブロックやレンガの塀の上に容易に固定出来るようにする。【解決手段】ラバーを使用することによりラバーの底に接着テープを貼ることが出来、回りをコーキング剤でブロック塀の上に固定して使用することが出来る。猫が庭に侵入するのを防ぐ。【選択図】　図３
0003098081.tif 000002
【実用新案登録請求の範囲】
【請求項１】
ラバーシート１に釘２を全面に埋め込んだシート
【考案の詳細な説明】
【０００１】
【考案が解決しようとする課題】
従来の猫よけシートはブロック塀の上に固定するのが困難であった。
【０００２】
【課題を解決するための手段】
上記目的を達成するために，ラバーに釘を埋め込んだもので，ラバーの底に接着テープを貼り尚コーキング剤でブロック塀に固定する。
【０００３】
【考案の効果】
本考案はブロックやレンガの塀の上に固定が簡単であり、ラバーを使用することにより釘を猫が踏んでも釘が傾くのでケガをしない。
【図面の簡単な説明】
【図１】ラバーと釘の平面図である。
【図２】ラバーと釘の側面図である。
【図３】ラバーと釘の断面図である。
【符号の説明】
１　釘
２　ラバー
【図１】
0003098081.tif 000003
【図２】
0003098081.tif 000004
【図３】
0003098081.tif 000005
(57)【要約】　　　（修正有）【課題】接着剤での固定方式である現在の建築模型における課題である製作スピードの向上と模型仕様変更への柔軟性の向上を同時に図る事を目的とする。【解決手段】スチレンボード７で出来た模型部材同士をその組み立て角度に合わせて固定する目的を持ち、その固定が接着固定でなく複数のピン先を折り曲げ可能な部材１３で一体化した自在変形ジョイントピンによって脱着に自由度があるように固定した建築模型に関するものである。【選択図】　　図２
0003098084.tif 000002
【実用新案登録請求の範囲】
【請求項１】
両端の尖ったピン２本とそのピン同士を折り曲げ可能な部材で一体的に結合させている上下立面連結用の自在変形ジョイントピン。
【請求項２】
請求項１の自在変形ジョイントピンにおいてピン先２本が一端だけの立面連結用の自在変形ジョイントピン。
【考案の詳細な説明】
【０００１】
【産業上の利用分野】
本考案はおもに建築模型製作において、外壁、内壁、床等を本考案による自在変形ジョイントピンで簡単に固定する事による製作スピードアップと工事進行時の設計手直しに模型手直しとを同時進行させうることによる３次元的観察の具現化、さらに建築物完成後のリフォームなど検討時において、模型を簡単に分解、変更組み立てすることによって考察案を３次元的、視覚的にとらえうる事を可能にした建築業界においての建築模型の製作方法を飛躍的に改良させうる自在変形ジョイントピンに関するものである。
【０００２】
【従来の技術】
従来の建築模型は設計図を元に切り出した外壁、内壁、床等のパネルを接着剤で接着固定する方法である。
【０００３】
【考案が解決しようとする課題】
現状における建築模型の製作方法では、設計者の建築物完成迄へのプロセスを３次元的リアルタイムかつフレキシブルに点検したいとの欲求を解決しえない。
また建築コストを押さえながらそのうえで顧客サービスを充実させたい営業的側面にも有効なものとはなりえていない。そうした課題を本考案による自在変形ジョイントピンを活用したブロック組み立てによって解決するものでる。
【０００４】
【課題を解決する為の手段】
建築模型製作において多く使われるスチレンボードからの型だしピースを接着剤で固定する方法にかえ、複数のピン先とそのピン先を一体的につなぐフレキシブルな部材を通して、型だししたボードのピース同士を固定しようとするものである。つまり外壁、内壁、床等の接続は接着剤による固定のように一度固定すると分解イコール破壊となるのではなく、本考案の自在変形ジョイントピンを使うことにより分解イコール組み立て前となるようにするのである。
【０００５】
【作用】
上下立面連結用の自在変形ジョイントピン（１）のフレキシブルなピン先結合部（２）を９０度折り曲げれば、スチレンボード（７）で出来ている水平面の床（６）と立面の内壁（４）と同じ立面の内壁入り口（５）と同時固定しうる。
又ピン先結合部材（２）がある事によって自在変形ジョイントピン（１）及び（３）ともにスチレンボードのどれかの面に一方的に埋もれ込む事はない。
【０００６】
【実施例】
本案は主としてスチレンボードで製作する建築模型において建築模型への実施斜視図にあるように、設計図を元に切り出した建築物の型だし各部を接着する時に、上下面を接着する場合は自在変形ジョイントピン（１）を、上下接着が必要でない場合は自在変形ジョイントピン（３）を直接スチレンボードに適当箇所差し込み固定する事によって建築模型を組み立てる事に使用するものである。
【０００７】
【考案の効果】
本考案による自在変形ジョイントピンを使って建築模型を組み立てれば、第１に模型の製作時間が大幅に短縮でき製作コストを低減させる事ができる。
さらに組み立て分解が容易であることから設計者の設計変更をリアルタイムかつフレキシブルに形状変更でき，設計者の３次元的考察に非常に参考となる。
加えて最終的に渡った顧客の手許においては、数年後のリフォーム検討のおり模型を使ってシミュレーションが可能であり、後々迄設計者と顧客とのコミュニケーションツールとなるものである。
【図面の簡単な説明】
【図１】本考案の平面図である。
【図２】建築模型に本考案を使用している実施斜視図である。
【符号の説明】
１　上下立面連結用の自在変形ジョイントピン
２　フレキシブルなピン先同士結合材部
３　立面連結用の自在変形ジョイントピン
４　内壁模型
５　内壁入口模型
６　床模型
７　スチレンボード
【図１】
0003098084.tif 000003
【図２】
0003098084.tif 000004
(57)【要約】【課題】片手でも操作しやすく、また保管時の収納性に優れる家電機器リモートコントローラーを提供する。【解決手段】本考案は、家電のリモートコントローラーを杖型にして握りやすくするとともに、その際に親指があたる部分にスイッチを配置して片手でも操作しやすくするとともに、ペンたてに立てたり、フックに吊るしやすい形状とすることで、複数のリモートコントローラーも一箇所に収納して管理しやすいようにするものである。【選択図】　　　　図１
0003098088.tif 000002
【実用新案登録請求の範囲】
【請求項１】
杖型をしていることで持ちやすく、収納性に優れる、家電機器のリモートコントローラー。
【考案の詳細な説明】
【０００１】
【考案の属する技術分野】
本考案は、家電機器のリモートコントローラーに関するものである。
【０００２】
【従来の技術】
テレビやエアコンなど家電機器において、すでにリモートコントローラーは標準的な付属品であり、一般的に各家庭には複数のリモートコントローラーが存在している。
【０００３】
しかし、一般家庭においては複数のリモコンを常時使用しやすい状態で保管しておくことは困難で、テーブルの上などの散乱させてしまうのが実情である。
【０００４】
また、多くのリモートコントローラーは横幅が広く、手の小さな子供や年配者は片手での操作が困難な形状をしている。
【０００５】
【考案が解決しようとする課題】
片手でも操作しやすく、また保管時の収納性に優れるリモートコントロール装置を提供する。
【０００６】
【課題を解決するための手段】
本考案は、家電機器のリモートコントローラーの形状を杖型にして握りやすくするとともに、その際に親指があたる部分にスイッチを配置して片手でも操作しやすくするとともに、ペンたてに立てたり、フックに吊るしやすい形状とすることで、複数のリモートコントローラーも一箇所に収納して管理しやすいようにするものである。
【０００７】
【考案の実施の形態】
杖型の本体ケース内に回路基盤および電池を収納し、杖の握手部分に操作ボタンを配置。杖先端部に設置した赤外線送信装置から信号を送信し、家電機器をリモートコントロールする。また杖には紐通し穴があり、ここに通した紐によってフックに掛けることができる。
【０００８】
【実施例】
図１は、本考案装置の構造図である。
【０００９】
本体ケース（１）の握手部分の親指があたる部分に操作ボタン（２）を配置し、これを操作することで杖の先端に設置された赤外線送信部（３）から信号が発せらて家電機器を操作する。
【００１０】
操作ボタン（２）は、例えばテレビなら電源、チャンネル上下移動、音量といった当該家電機器の操作に必要最低限数のボタンに絞り、装置を簡略化するとともに操作性を高める。
【００１１】
本体ケース（１）には紐通し穴（４）があり、ここに通した紐をフックに掛けることで、壁に掛けるなどして収納することができる。
【００１２】
本体ケース（１）が杖状をしているため、複数のリモートコントローラーをペンたてなどに立てて収納することができる。
【００１３】
本体ケース（１）の内部にはリモートコントロールに必要な回路基盤、電池が収納される。
【００１４】
【考案の効果】
以上説明したように本考案の杖型リモートコントローラーは、片手で手軽に操作することができ、ペンたてに立てたり、フックに掛けるなどして複数をまとめて収納しておくことができる。また杖の形状とすることで、遊び心を持って家電機器を操作することができる。
【図面の簡単な説明】
【図１】リモートコントローラーの斜視図である。
【符号の説明】
１　　本体ケース
２　　操作ボタン
３　　赤外線送信部
４　　紐通し穴
【図１】
0003098088.tif 000003
(57)【要約】【課題】今川焼きの具材として豚角煮を入れることにより、従来からのペースト状の具材では得られない味覚的にも食感的にも従来にない新規な食品を得る。【解決手段】程よく味付けをした豚角煮５の表面に衣４、４ａを絡ませて、焼き凹部を有する焼き器１で両面を焼くことによって、衣４、４ａ本来の味覚や食感に加えて、豚角煮５の味覚や食感が加えられることによって、従来にない味覚や食感をもった食品が得られる。【選択図】　　　　図４
0003098082.tif 000002
【実用新案登録請求の範囲】
【請求項１】
程よく味付けをした豚角煮の表面に水で溶いた小麦粉を主な材料とした衣を絡ませて、焼き凹部を有する焼き器で両面を焼くことを特徴とする豚角煮入り今川焼き。
【考案の詳細な説明】
【０００１】
【考案の属する技術分野】
この考案は、豚角煮入り今川焼きに関するものである。
【０００２】
【従来の技術】
従来、今川焼きの具材としては、小豆あんや白あんが広く知られている。
【０００３】
そして今川焼きの具材の小豆あんや白あんは、古くから親しまれ、現在も主要な具材として使用され、一部では、具材を工夫してカスタードクリームなどのペースト状の具材が使用されているのが現状である。
【０００４】
【考案が解決しようとする課題】
この考案は、従来からのペースト状の具材では得られない味覚的にも食感的にも従来にない新規な食品を開発することを課題とした。
【０００５】
【課題を解決するための手段】
この考案は前記課題解決のために、種々研究および試作を重ねた結果、程よく味付けをした豚角煮の表面に水で溶いた小麦粉を主な材料とした衣を絡ませて、焼き凹部を有する焼き器で両面を焼くことによって、衣本来の味覚や食感に加えて、豚角煮の味覚や食感が加えられることによって、従来にない味覚や食感をもった食品が得られることを見いだし、本考案を提案するに至ったものである。
【０００６】
【考案の実施の形態】
考案の実施の形態について図面を参照して説明する。
図１において、焼き凹部を有する焼き器１の下部凹部２に流し込み器３をもちいて衣４を流し込み、下部凹部２表面に接触している面を程よく焼き上げる。
【０００７】
図２において、５０ｍｍ角前後等、適宜な大きさの采の目状に裁断した豚角煮５を衣４の上に置く。
【０００８】
図３において、焼き凹部を有する焼き器１の下部凹部２ａに流し込み器３をもちいて衣４ａを流し込み、下部凹部２ａ表面に接触している面を程よく焼き上げる。
【０００９】
図４において、焼き凹部を有する焼き器１の下部凹部２で焼き上げた衣４の上に、焼き凹部を有する焼き器１の下部凹部２ａで焼き上げた衣４ａを被せて、中までよく火が通るまで数回回転させ、太鼓状に仕立てる。
【００１０】
本製品の包装形態としては、短時間の内に消費する場合は、紙箱などの簡易包装でよいが、長時間保存が必要な場合は、冷凍して真空パック等、密閉性のよいものが好ましい。
【００１１】
【考案の効果】
以上の通りこの考案によれば、豚角煮を衣で包み込み焼き上げることにより、食品としての一体的な形態を保持することができる。
【００１２】
味覚的には、豚角煮の旨味や甘さと衣の旨味や甘さが程よく絡み合って、独特な味わいが得られ、しかも衣が豚角煮そのままの姿を覆い隠しているので食品としての外観性が良好で、食べたときに豚角煮が出てきたときの驚きは、他にはない新鮮さを感じさせるものであり、販路及び消費量の拡大に寄与するところ大である。
【図面の簡単な説明】
【図１】焼き凹部を有する焼き器の下部凹部に流し込み器により衣を流し込んだ状態を示す断面図である。
【図２】焼き凹部を有する焼き器の下部凹部の衣の上に豚角煮を置こうとしている状態を示す断面図である。
【図３】焼き凹部を有する焼き器の下部凹部の衣の上に豚角煮を置いた状態と隣の下部凹部に流し込み器により衣を流し込んだ状態を示す断面図である。
【図４】焼き凹部を有する焼き器の下部凹部の衣の上に豚角煮を置いた状態に隣の下部凹部で焼き上げた衣を被せようとしている状態を示す断面図である。
【符号の説明】
１　焼き凹部を有する焼き器
２、２ａ　下部凹部
３　流し込み器
４、４ａ　衣
５　豚角煮
【図１】
0003098082.tif 000003
【図２】
0003098082.tif 000004
【図３】
0003098082.tif 000005
【図４】
0003098082.tif 000006
(57)【要約】【課題】ＤＶＤケースなどを書店の本棚に陳列展示でき、輸送や持運びが安全で書籍と同様な方法で会計処理できる便利な収容ホルダー　を提供する。【構成】ＤＶＤケース１とほぼ同一の厚さを有する方形板体５の中央部にＤＶＤケースを嵌合収容する凹部６が形成されると共に前記凹　部の底面９の一部にケース裏面のバーコード等を透視可能にする透孔１０が穿設されて構成され、ケースが前記凹部に収容された状態で前　記枠体の少なくとも表面にカバー表紙１１が載置されてこれらの全体が透明合成樹脂フィルム１２によってシュリンクパックされる。【選択図】　　図４
0003098945.tif 000002
【実用新案登録請求の範囲】
【請求項１】
ＤＶＤなどのケースとほぼ同一の厚さを有する方形板体の中央部にＤＶＤケースを嵌合収容する凹部が形成されると共　に前記凹部の底面の一部にケース裏面のバーコード等を透視可能にする透孔が穿設されて構成され、ケースが前記凹部に収容された状態で　透明合成樹脂フィルムによってシュリンクパックされてなるＤＶＤケースなどの収容ホルダー。
【請求項２】
枠体の少なくとも表面にカバー表紙が載置されてこれらの全体が透明合成樹脂フィルムによってシュリンクパックされ　てなる請求項１記載のホルダー。
【考案の詳細な説明】
【０００１】
【考案の属する技術分野】
この考案は、ＤＶＤ又はＣＤ−ＲＯＭケースを収容するホルダーに関する。
【０００２】
【従来の技術】
ＤＶＤやＣＤ−ＲＯＭを書店やコンビニエンスストアで販売することが多くなっている。
ＤＶＤケースなどは、形態も大きさも一般書籍や雑誌と異なっているため積み置きしたり、書籍と別の場所に陳列展示したいるが、荷崩　れを起こしやすく、購買者・販売店共に不便である。
【０００３】
【考案が解決しようとする課題】
本案は、このような不便を解消するため安全に輸送でき、一般書籍の本棚に陳列展示できて書籍や雑誌と同様な方法で会計処理できる便　利なケースホルダーを提供するものである。
【０００４】
【構成】
市販のＤＶＤケースは、記録媒体であるディスクを適当なパッキング材を介して箱状のプラスチック容器に収容し、裏面にバーコードや　価格などが表示されてフィルム包装されているのが普通である。
本案品は、上記のＤＶＤケースとほぼ同一の厚さを有する方形板体の中央部にＤＶＤケースを嵌合収容する凹部が形成されると共に前記　凹部の底面の一部にケース裏面のバーコード等を透視可能にする透孔が穿設されて構成され、ケースが前記凹部に収容された状態で透明合　成樹脂フィルムによってシュリンクパックされてなるものである。
枠体の表面にカバー表紙が載置された場合は、これらの全体がシュリンクパックされる。
方形枠体は、厚紙、ダンボール、発泡プラスチックなどの任意の材料と厚紙の底板で構成される。
【０００５】
【実施の態様】
１はＤＶＤなどを封入したプラスチック又は紙製のケース、２はケース裏面の裏表紙、３は商品表示部、４は商品コード及び価格コード　である。
５は方形枠体であって、例えばＡ４版又はＢ５版などの書籍とほぼ同一の大きさに形成されている。
６は収容凹部、７は額縁状の枠部表面、８は枠体の側面であり、本の背表紙に相当する。９は底板、１０は、ケース裏面の商品表示部の　位置に合せて凹部内の底板の一部を打抜いた透孔、１１は、枠体の表面に載置されたカバー表紙、１２は全体を包装しているシュリンクパ　ックフィルムである。
【０００６】
【考案の効果】
本案品は、書籍と同一形態であるから本棚に収容して展示できる。
その上、樹脂フィルムで全体がシュリンクパックされて常に一体であるから運搬や持運び中、分離脱落の虞がなく安全である。
また、透明フィルムによって商品表示部が透視できるのでバーコード読み取りが容易にできる。
この他、カバー表紙の面積がＤＶＤケースより大きいので「タイトル」「目次」「内容説明」などを明瞭に表示させることができる。
【図面の簡単な説明】
【図１】ＤＶＤケースの裏面図。
【図２】本案ホルダーの平面斜視図。
【図３】同裏面図。
【図４】（Ａ）は、カバー表紙とＤＶＤケースを除去した平面斜視図、（Ｂ）は、Ｖ−Ｖ断面図。
【符号の説明】
１　　　ＤＶＤケース
２　　　裏表紙
３　　　商品表示部
４　　　バーコード
５　　　方形枠体
６　　　収容凹部
７　　　枠体表面
８　　　背表紙
９　　　底板
１０　　　打抜き窓
１１　　　カバー表紙
１２　　　透明シュリンクフィルム
【図１】
0003098945.tif 000003
【図２】
0003098945.tif 000004
【図３】
0003098945.tif 000005
【図４】
0003098945.tif 000006
(57)【要約】　　　（修正有）【課題】釣竿の本体部分にスケールを装着し、魚を釣り上げると同時にその場所で魚のサイズを計測できるようにする。【解決手段】釣竿の胴体部分にミリ単位、センチ単位、１０センチ単位等の目盛りをプリント、又は、コーティングして釣竿とスケールを一体化した釣竿。【選択図】　　図１
0003098970.tif 000002
【実用新案登録請求の範囲】
【請求項１】
釣竿の本体部分にスケールが取り付けられている事を特徴とする釣竿。
【考案の詳細な説明】
【０００１】
【産業上の利用分野】
この考案は、釣竿とスケールを一体化した釣竿に関するものである。
【０００２】
【従来の技術】
釣り人の多くは、釣り上げた魚の大きさを測るのに目測で、あるいは手の指を拡げて、おおよそで大きさを捉えていた。
【０００３】
【考案が解決しようとする課題】
釣り人の多くは、１センチでもより大きな魚を釣り上げたい願望を持っているが、１メートル前後の大きな魚を狙っている人たち意外は、メジャー等のスケールを携行する人は少ない。常時スケールを携行すること、また魚を釣り上げる度にスケールを取り出す面倒さ、それに周囲の釣り人の目を気にしてメジャー等のスケールで魚の大きさを測る人は少なかった。
本考案は、これらの欠点を除くためになされたものである。
【０００４】
【問題を解決するための手段】
釣竿本体に全長５０センチ、全長１メートル等の物差し状の目盛りを装着する。本考案は以上のような構成よりなる釣竿である。
【０００５】
【作用】
魚を釣り上げ、手元に引き寄せた状態で竿本体部に取り付けられているスケールに魚を合わせる事で魚のサイズを計測できる。又は、魚を針からはずし、竿のスケールに当てることで魚のサイズを釣り上げたその場所で計測できる。
【０００６】
【実施例】
（イ）　竿本体部に、物差し状の目盛りを焼付けプリント、コーティング加工等で装着する。釣竿の種類によってスケールを３０センチ、５０センチ、１メートル、等を装着した釣竿。
（ロ）　仮に、１メートルのスケール全部を１センチ単位で竿に表示することは作業的にも、又、デザイン的にも好ましくない。そこで別紙図面の図２の様にスケール全体の中の１０センチ部分のみ１センチ間隔の目盛りを表示し、残りは１０センチ間隔の目盛り表示とする。仮に、釣り上げた魚が目測で３０センチ前後と判断した場合は、スケールで１０センチ単位目盛りの３０と表示された部分に魚の口の部分を合わせると、魚の尻尾部分はセンチ等細寸の部分で計測できる。
【０００７】
【考案の効果】
本考案は以上のような構造で、魚を釣り上げると同時にその場所で魚のサイズを計測できる。又、はぜやキスの様な１０センチ、２０センチの小さな魚を釣り上げた場合でも、周囲の目を気にしなくて魚のサイズを計測でき、便利である。
【０００８】
【図面の簡単な説明】
【図１】本考案の側面図である。
【図２】実施例（ロ）のスケール部分拡大平面図である。
【符号の説明】▲１▼釣竿本体　▲２▼スケール　▲３▼竿尻　▲４▼竿先　▲５▼リール
【図１】
0003098970.tif 000003
【図２】
0003098970.tif 000004
(57)【要約】【課題】本考案は、ゴミ収集場所のゴミ袋を保護する目的でネットやビニールシートを扱いやすく加工してカラス等のごみ漁り、散乱を予防するものである。【解決手段】本考案は、切ったり、つなげたりせずに最初から完成された形に形成できればそれに越したことはないが、それが不可能な場合はネットやビニールシートを１，２，３のようにカットし、１の両端を棒を通せるように輪を作り、２をｄ，ｅの位置でタックを取ったものをつなぎ合わせハンドバック状にし、園芸用の棒やフック、ロープを利用し、収集場所に取り付け、ゴミ袋を入れている時と空になっている時は、開閉可能な手前の面の棒をフックにかけ、収集作業をする時は手前面をフックから外して地面に置き、容易にゴミ袋を取り出すことが出来る。ゴミ袋がスッポリ包まれている状態なので、カラス、その他の動物は、ゴミ袋に近づくことが出来ないのでゴミ散乱防止に役立つ。【選択図】　図５
0003098965.tif 000002
【実用新案登録請求の範囲】
【請求項１】
シート状の丈夫なネットやビニールシート等を、襠をつけることにより大きなハンドバッグ状に形成し、両端に棒又はロープを通してフックを使って簡単に開け閉めが出来る、動物の食い散らかし防止を特徴とするネット。
【考案の詳細な説明】
【０００１】
【考案の属する技術分野】
本考案は、ネットやシートをハンドバック状に形成したゴミ散乱防止ネットに関するものである。
【０００２】
【従来の技術】
ゴミ収集場所に置かれたゴミ袋を、ネットやシートで覆って重りを置いたり、重り付きのシートで覆ったり、又、ゴミ袋を囲ったりしてカラスその他の動物がゴミを食い散らかすのを防ごうとした。
【０００３】
【考案が解決しようとする課題】
基本的にゴミ袋を地面に置き、その上にシートやネットをかぶせる方法は、重りを置いてもカラスなどはネットの端をくちばしで引張って重りを動かし、容易に袋を引張り出すことができる。カラス等が容易に動かせない程の重りを利用すれは収集する人たちの負担も増し、収集された後重りが道路に転がって、お年よりや、自転車、車などが接触する危険性もある。又、ゴミを囲う方法は、カラスが上から入れるとわかった時点でその効果はなくなる。従って被せたり囲ったりではなく、袋状にしたものの中にスッポリ入れてしまうことにより、前述の欠点を解決しようとするものである。
【０００４】
【課題を解決するための手段】
本考案は、最初から完成した形に出来れば最良だがそれが無理であれば、丈夫なネットやビニールシート等を長方形と襠の形の３つの部分に裁断し、本体となる長方形を２つに折り、折られた側を下に開口部を上にして左右の両端に襠を付ける。ハンドバッグ状になったネットの開口部が上、左右が襠の状態で、塀、フェンス、樹木等に取り付ける奥の面を裏面、手前の開閉する側を手前面とする。上部の開口している本体の裏面と手前面の端をそれぞれ中に棒を通すことが出来るように始末する。襠の上の部分の端は２個ぐらいタックを取る。棒を通せるように始末した端に本体の巾より長い園芸用の棒を通し、裏面の棒のみ本体からはみ出した左右両端にＳ字フックを一つづつ取り付ける。又、ロープも左右２本棒に結び、取り付ける個所の状態に合わせて長さを調節し、どこにでも取り付け可能にする。
【０００５】
【考案の実施の形態】
取り付けた後、手前面を開いてゴミ袋を入れたら、手前面の棒の端を裏面の棒に取り付けたフックにかける。この時襠の部分を内側に押し込むようにする。ゴミ収集の人は手前面をフックからはずして地面に置き、ゴミ袋を全部取りだし、空になったら手前面の棒をフックにかけるだけで良い。
【０００６】
【実施例】
以下、添付図面に従って実施例を説明する。
本体となる１は長方形に裁断し、短い方の２辺に棒やロープを通すために、輪になるように折りたたみ縫い止める。２，３は、長方形の長いほうの２辺に付ける襠で、１の中心線のところに２，３の中心が来るようにする。曲線ｂｃは直線ａｂより短く、３分の２ぐらいが適当と思われる。
【０００７】
上図の襠２，３の形の作り方で、広がりは６０度が適当である。下の部分を円くカットする。左矢印のようにカットは必ずしも円くしなくても良い。ｄ，ｅはタックを取る個所である。右矢印のようにたたんだらしっかり止める。
【０００８】
本体に襠２枚をつけ、輪にした端にそれぞれ棒あるいはロープを通し、ネットを付けるためのロープ、フックを図の位置に取り付ける。ｆ，ｇ，ｈは使用していない時、上にたくし上げたい時にフックにかけるための輪にしたロープである。
【０００９】
ゴミ袋を入れて手前の棒を奥の裏面のフックにかける。
【００１０】
収集員がゴミ袋を取り出すために、手前面の棒をフックからはずし地面に置く。
【００１１】
使用していないネットは、手前面の棒をフックにかけておく。垂れ下がって不都合なときは、底に取り付けた輪を持ち上げて、フックにかけておけばスッキリする。
【００１２】
【考案の効果】
上述の様に、本考案のゴミ散乱防止ネットは、ゴミ袋を出すときの手間が格段に省ける上、収集する人もゴミ袋を容易に取り出すことが出来、その上カラス等の動物に荒らされる事もなく、従って道路上にゴミが散乱することを防ぐことが出来る。
【図面の簡単な説明】
【図１】本考案のネットをどういう形に裁断し立体化するか、それぞれの位置の平面図である。
【図２】左右に縫い合わせる襠の作り方である。右矢印はタックｄ，ｅの折り方である。
【図３】出来上り図である。
【図４】ゴミ袋が入っている状態である。右図は棒の代わりにロープを通した場合の図である。
【図５】ゴミ収集の人が取り出す時に、手前面の棒をフックからはずし地面に置いた状態である。
【図６】使用していない時に、底の両端をフックにかける方法。
【符号の説明】
１．　ネット本体
２．　襠
３．　襠
ａ．　長方形の角
ｂ．　長方形、襠の中心線及び接点
ｃ．　襠の角
ｄ．　襠につくるタックの位置
ｅ．　襠につくるタックの位置
ｆ．　輪にしたロープ
ｇ．　輪にしたロープ
ｈ．　輪にしたロープ
【図１】
0003098965.tif 000003
【図２】
0003098965.tif 000004
【図３】
0003098965.tif 000005
【図４】
0003098965.tif 000006
【図５】
0003098965.tif 000007
【図６】
0003098965.tif 000008
(57)【要約】　　　（修正有）【課題】肘掛けや手すりがない場所でも、容易に立ち座りを補助するための器具を提供する。【解決手段】中腰状態で手首から膝関節部程度の短い杖で、着座面を直接突くことで、肘掛けのごとく立ち座りを補助することができる。腕力の弱い人に対しても、立ち座りを補助することができる。座面へのくいこみを少なくすることができる。【選択図】　　　　図１
0003098964.tif 000002
【実用新案登録請求の範囲】
【請求項１】
軸柄の長さが中腰状態で手首から膝関節部程度の短い杖。
【請求項２】
握柄より上を前腕固定型とした請求項１の杖。
【請求項３】
石突部を板状とした請求項１及び請求項２の杖。
【考案の詳細な説明】
【０００１】
【考案の属する技術分野】
本考案は手持品の杖に関し、より詳細には、立ち座りを補助する杖に関する。
【０００２】
【従来の技術】
従来、椅子やベッドの座面に座ったり、座面から立ったりする際、直立、中腰、着座といった動作の過程を伴う。
【０００３】
この中で中腰から着座、着座から中腰の過程では、体重を前後に移動させる動作を伴い、脚力が十分でない人は、腕力を補助として利用すると動作が容易になる。
【０００４】
椅子やベッドに中腰の状態でつかむことができる高さに肘掛けや手すりが備え付けられている場合は、中腰から着座、着座から中腰の動作の過程を腕力で補助することができるので、立ち座りが容易になる。
【０００５】
椅子やベッドに備え付けの肘掛けや手すりがない場合は、座面に直接手をつけ立ち座りする。あるいは、歩行用杖を足下に突いて立ち座りする
【０００６】
【発明が解決しようとする課題】
従来技術の課題は次の通りである。
【０００７】
手すりや肘掛けの補助が必要な場合は、あらかじめ備え付けておく必要があり、また、すべての椅子やベッドに備え付けられているものではないため、利用できない場合がある。
【０００８】
脚力が十分でない人が座面に手をついて立ち座りする場合、座面から手が放れる状態から中腰までの前後への体重移動は脚力のみでの動作となることから、立てなかったり、後方に転倒する場合がある。
【０００９】
脚力が十分でない人が歩行用杖を足元に突いて立ち座りする場合、後方にかかる体重を支えることが困難なため、立てなかったり、後方に転倒する場合がある。
【００１０】
着座面がベッドやソファーなどの柔らかい素材の場合、手や尻部が座面にくいこんでしまい、立てなかったり、後方に転倒する場合がある。
【００１１】
着座面に歩行用杖を突いて立ち座りをする場合、長すぎて十分に体重をささえることができない。
【００１２】
本考案は、上記従来技術の問題点を解決することを課題とする。より特定すれば、肘掛けや手すりがない場所でも、容易に立ち座りを補助するための器具を提供することを課題とする。
【００１３】
【課題を解決するための手段】
上記課題を達成するため請求項１に記載された杖は、中腰状態で手首から膝関節部程度の短い杖で、着座面を直接突くことで、肘掛けのごとく立ち座りを補助することができる。
【００１４】
さらに請求項２に記載された杖は、腕力も弱い人に対しても、立ち座りを補助することができる。
【００１５】
さらに請求項３に記載された杖は、座面へのくいこみを少なくすることができる。
【００１６】
【考案の実施の形態】
以下、本考案の実施の形態を説明する。
【００１７】
本考案を使用し座るときは、請求項１の握柄を握り、石突部で座面を突き、腕力で後方への体重移動を補助しながら座る。腕力が弱い人は、請求項２、座面が柔らかい場合は請求項３の杖を同要領で用いる。
【００１８】
本校案を使用し立ち上がるときは、請求項１の握柄を握り、石突部で座面を突き、腕力で前方への体重移動を補助しながら立ち上がる。腕力が弱い人は、請求項２、座面が柔らかい場合は請求項３の杖を同要領で用いる。
【００１９】
【考案の効果】
以上説明したように本考案は、肘掛けや手すりがない場所でも、座面に直接杖を突くことで容易に立ち座りを補助することができる。
【図面の簡単な説明】
【図１】請求項１の斜視図である。
【図２】請求項１の側面図ある。
【図３】請求項１の平面図である。
【図４】請求項２の斜視図である。
【図５】請求項２の側面図ある。
【図６】請求項２の平面図である。
【図７】請求項３のうち握柄が請求項１の斜視図である。
【図８】請求項３のうち握柄が請求項１の側面図ある。
【図９】請求項３のうち握柄が請求項１の平面図である。
【符号の説明】
１　　軸柄部
２　　握柄部
３　　石突部
４　　前腕固定部
５　　板状石突部
【図１】
0003098964.tif 000003
【図２】
0003098964.tif 000004
【図３】
0003098964.tif 000005
【図４】
0003098964.tif 000006
【図５】
0003098964.tif 000007
【図６】
0003098964.tif 000008
【図７】
0003098964.tif 000009
【図８】
0003098964.tif 000010
【図９】
0003098964.tif 000011
(57)【要約】【課題】この考案は、レシートなどの紙片を帳簿に貼付し整理するために、他に接着剤もいらず、作業のわずらわしさもないルーズリーフを開発しようとするものである。【解決手段】ルーズリーフの紙面（１）に剥離可能な保護膜付きの両面粘着テープ（２）を付設することによって、帳簿整理に必要な紙片の貼付作業が簡便に行えるルーズリーフが得られる。【選択図】　図２
0003098972.tif 000002
【実用新案登録請求の範囲】
【請求項１】
ルーズリーフの紙面に両面粘着テープを付設したルーズリーフ。
【考案の詳細な説明】
【０００１】
【考案の属する技術分野】
この考案は、レシートやメモなどの紙片の貼付整理に便利なルーズリーフに関するものである。
【０００２】
【従来の技術】
従来、レシートやメモなどの紙片を帳簿に整理するには、接着剤やホチキスを準備しなければならず貼付作業もわずらわしかった。
【０００３】
【考案が解決しようとする課題】
本案は、レシートなどの紙片を帳簿整理するために、他に接着剤もいらず作業もわずらわしくないルーズリーフを開発しようとするものである。
【０００４】
【課題を解決するための手段】
図面にもとづき説明すると、ルーズリーフの紙面（１）に剥離可能な保護膜付きの両面粘着テープ（２）を付設する構造からなるルーズリーフである。
【０００５】
【考案の実施の形態】
本案は、このような構造であるから、これを使用するには、保護膜（３）を必要量めくり、あらわれた粘着面（４）にレシートなどの紙片を貼り整理することができる。
【０００６】
なお、本考案の実施の形態として次のようなことができる。
（イ）付設する両面粘着テープ（２）の列数は、１列だけでなく、複数列を付設することができる。
（ロ）これらのテープの列は縦並びに付設するだけでなく、横並びに付設することもできる。
（ハ）本考案の適用はルーズリーフだけでなく、ノートの形態にも適用することができる。
【０００７】
【考案の効果】
本考案のルーズリーフの使用によって、レシートなど紙片の帳簿整理のための貼付作業が簡便なものとなり整理の能率が向上する。
【図面の簡単な説明】
【図１】本考案の平面図
【図２】本考案の実施例の斜視図
【図３】本考案の実施の形態（イ）の平面図
【図４】本考案の実施の形態（ロ）の平面図
【符号の説明】
１はルーズリーフ紙面
２は保護膜未剥離の両面粘着テープ
３は剥離された保護膜
４は保護膜が剥離されてあらわれた粘着面
【図１】
0003098972.tif 000003
【図２】
0003098972.tif 000004
【図３】
0003098972.tif 000005
【図４】
0003098972.tif 000006
(57)【要約】〔課題〕　従来は、履物の左右の識別は、左と右がとてもよくにているため、特に幼児にとって困難であった。したがって、左右逆にはくことがあった。それを幼児でも、一目見て左右まちがわずきちんと、はけるようにする。〔解決手段〕　履物のつま先、甲、かかと部分に、左右つながりある絵をいれた。【選択図】　図１
0003098975.tif 000002
【実用新案登録請求の範囲】
【請求項１】
つま先部分、甲の部分、かかとの部分に左右あわせるとひとつにつながる絵をつけ、履物の右と左を、一目見てわかるようにした履物。
【考案の詳細な説明】
この考案は、履物の左右をまちがわずにはけるようにしたものである。従来の履物は、左右がわかりにくく、特に幼児は左右そろえておいてあるにもかかわらず、ほとんどといって、左右を逆に、はいてしまう。その欠点をなくすためになされたもので、それを図面で説明すれば、図１のように、履物のつま先から甲の部分に、魚の絵をつけ、その魚を左右向きあうようにし、左右まちがいなくはけば、右と左の魚が、キスをする絵になる。これならば一目で幼児にも左右が区別でき、まちがいなく履物をはくことができる。
図２は、くつ箱に入れた時もわかるように、左右あわせてつながる絵を、かかとの部分にかいたものである。
0003098975.tif 000003
左右があうと、女の子の顔の絵となる。
【図面の簡単な説明】
【図１】本考案を上から見た図である。
【図２】本考案を履物のかかとから見た図である。
【符号の説明】１　履物　　２　くつ箱
【図１】
0003098975.tif 000004
【図２】
0003098975.tif 000005
(57)【要約】　　　（修正有）【課題】結露防止と断熱効果を簡単な工程で実現する。【解決手段】断熱材に網目状模様を形成するガラスクロスを貼付し、更に結露防止塗材の塗布を済ませた結露防止断熱ボードで、現場施工時は従来通りに断熱材を壁面に貼る要領にて使用することができ、仕上げ塗装だけで結露防止効果と作業効率の向上を実現した。【選択図】　　図１
0003098930.tif 000002
【実用新案登録請求の範囲】
【請求項１】
不燃性断熱ボードの片側全面にガラスクロスを貼付し凹凸が残る程度にセメント系フィラーにて薄く塗布固着した後、更に結露防止塗材を表面に塗布したことを特徴とする防露性多層構造建材。
【請求項２】
結露防止塗材を表面塗布した後もボード表面にガラスクロスによる凹凸状を形成することにより、重ね塗りの塗材が載りやすいことを特徴とする請求項１に記載の防露性多層構造建材。
【考案の詳細な説明】
【０００１】
【考案の属する技術分野】
本考案は、結露防止の建材として室内壁面に用いる不燃性断熱ボードに関する。
【０００２】
【従来の技術】
従来より外壁内壁間には断熱材として断熱ボードが用いられており、また塗料としての結露防止塗材が存在している。
【０００３】
【考案が解決しようとする課題】
従来より、壁面結露が生じる家屋室内の施工工事において、対処として外気温との温度差を軽減するためにまず断熱材を装てんすることが一般におこなわれているが、例えばコンクリート塗りの壁面では断熱材を壁面内部に装てんすることが出来ず、表面に対して結露防止塗料等の調湿性塗材を塗布する程度で、その対処が充分に出来ていなかった。
【０００４】
【課題を解決するための手段】
本考案は、外気温との温度差を軽減するための不燃性断熱ボードに、下地塗りと表面に結露防止塗料等の調湿性塗材を塗布施工済みとすることで、室内コンクリート壁面に対しても直接貼り合わせ施工をおこなうことができ、断熱性の向上と現場施工工事の効率も向上するよう手段を講じたものである。
【０００５】
【考案の実施の形態】
考案の実施の形態を以下に説明する。
図１に例を示すとおり、本考案にかかる結露防止断熱ボードは、不燃性断熱材を基板とし、表面にガラスクロスを張り付けてセメント系フィラーを塗布し、更に結露防止塗材を塗り重ねた構造となっている。
【０００６】
【実施例】
基板となる不燃性断熱材は、一般的に炭酸カルシウム発泡板を用いることで、充分な断熱性能を得られると共に軽量で持ち運びが用意であるため適している。
【０００７】
従来、断熱材としてはグラスウール等が内外壁間に装てんされているが、経年劣化でその断熱性能が低下したり、水分を吸湿したままになる問題があった。
【０００８】
しかしながら、本考案製品に用いる断熱材としての炭酸カルシウム発泡板は、軽量でありながらも板状で保形性が高く、現場施工も比較的容易であって切断加工性も問題がない上、施工後も長期に亘り安定した性能を維持できる。
【０００９】
まず、定格サイズ、一般的に１８００ｍｍ×９００ｍｍ、厚みは発泡板の製品規格により選択可能で標準として１０ｍｍ厚の炭酸カルシウム発泡板の片側全面にガラスクロスを貼付するが、この場合糊等の固着剤を用いるか、或いはガラスクロスに接着剤が塗布された製品が存在するのでこれを用いて発泡板に貼り付けをおこなう。ガラスクロスの貼付は、基板たる発泡板の反りを押さえるために使用する。また、ガラスクロスによって本考案製品の表面には凸凹が生じるので、網目状の模様がそのまま製品として使用できることになる。
【００１０】
ガラスクロスの貼付後、セメント系フィラーを乾燥後厚０．１ｍｍ〜０．２ｍｍ程度になるよう塗布することにより、ガラスクロスを基板に固着させる。セメント系フィラーが完全に乾燥するまで１日乃至２日間の養生期間を置く。この処理によってガラスクロスが強固に基板と一体化するので、多少の圧擦によっても剥がれることがなく製品の反りを防止することができる。
【００１１】
セメント系フィラーの乾燥後、中毛ウーローラー等を用いて結露防止塗材を塗厚１ｍｍ〜２ｍｍ程度に全面塗布する。この後乾燥のための養生期間を１日程度おくと、塗材が痩せて下地のガラスクロスによる凸凹が浮き出ることによって、網目状の模様が表面に形成される。
【００１２】
なお、結露防止塗材の色によって本考案製品の色彩も変えることが可能であるが、基本的に施工現場にて更に結露防止塗材を上塗りして仕上げるため、下地として白色系或いは淡色系の塗材が主に使用される。
【００１３】
【考案の効果】
この考案は前記のように構成されており、以下に記載のような効果を有する。
【００１４】
近年では、住宅室内の機密性が向上したために冬場の結露問題が増加しており、施工対象がコンクリート壁面などの場合には、外気温との温度差を根本的に解消することが出来ずに単に結露防止塗材を塗布施工する程度で、塗材の調湿能力を超えてしまい再び結露問題が生じることもあった。
【００１５】
その対策として、外気温との温度差を軽減するために断熱材を用いて施工する方法がとられてきたが、各現場において断熱材の壁面貼付施工に始まり、結露防止塗材の塗布、乾燥、更に仕上げ塗布など、多くの工程を施工現場において要しており作業性も悪かった。
【００１６】
本考案製品は、断熱材に結露防止塗材の一度塗りを済ませた下地ボードとして販売されるので、現場においては従来通りに断熱材を壁面に貼る要領にて使用することができ、継ぎ合わせ部の目地処理をした後に好みの色の結露防止塗材を上塗りして仕上げることができる。
【００１７】
また、結果的に結露防止塗材を二度塗りすることとなるので、充分な塗厚を形成でき、調湿性が向上し防露効果がより期待できる。
【００１８】
また、例えば押入内壁面などの結露防止のために本考案製品を使用する場合には、化粧仕上げを要しないので結露防止塗材の上塗りをすることなく本考案製品をそのまま壁面に貼付施工することによって、作業性が向上し且つ充分な防露効果を得ることができる。
【００１９】
更に本考案製品は、その表面が下地に貼付されたガラスクロスによる網目模様となっており、現場における結露防止塗材を仕上げ塗布する作業において、上塗りの塗材が載りやすい効果を有している。
【００２０】
また、結露状態によって断熱材の厚みを大きく取ることが望ましい場合には、本考案製品を壁面に二重貼りすれば断熱性能が向上し、結露問題を解消することができる。
【００２１】
なお、本考案製品の上から板材やクロスを貼り付けたり、通常のペイントを塗布すると結露防止塗材による調湿性能が失われるので、必ず内壁表面には結露防止塗材を塗布する。
【００２２】
上記のように断熱材と結露防止塗材を一体化したことによって、防露効果が向上すると共に現場作業性も向上する効果を有する。
【図面の簡単な説明】
【図１】本考案製品の構成図
【符号の説明】
１…不燃性断熱ボード（基板）
２…ガラスクロス
３…セメント系フィラー
４…結露防止塗材
【図１】
0003098930.tif 000003
(57)【要約】【課題】カレーの甘口と辛口のように、同じ料理で複数の味を複数の鍋、複数の加熱機器で作るのは料理の手段が重複し大変なので、１つの加熱機器で作ることが出来るようにする。また、必要あれば１つの鍋のみの加熱も可能とする。【解決手段】合体させた場合に円となる複数の鍋を作成し、それを内円および高さが合体鍋の外円および高さの若干大きい外側枠だけの底なし鍋に入れ、取っ手の所で引っ掛けることで、１つの加熱機器で複数の調理を可能にさせた。２種類のみでなく、複数の味付けを可能とするため、分割する鍋の形は、半円のものや３分の１円のものや４分の１円のものなどいろいろな組み合わせが可能となるようにした。分割させた鍋のそれぞれに取っ手を付けることにより、１つの鍋のみを別に加熱することも可能にさせた。【選択図】　　図１
0003098921.tif 000002
【実用新案登録請求の範囲】
【請求項１】
複数の鍋を合わせて１つの鍋の形にすることにより、１つ加熱機器で別の味付けの料理を作ることが出来る鍋。
【考案の詳細な説明】
【０００１】
【考案が解決しようとする課題】
子供がいる家庭でカレーを作る時に、１つの鍋で子供用に甘口を、もう１つの鍋でお父さん用に辛口を作る必要があるなど、同じ料理なのだからほとんど同じ火加減で良いときでも、味付けを変えて料理を作りたい時は、鍋を複数使用し、複数の加熱機器で料理するため、同じ手段を鍋の数だけ行う必要があった。
【０００２】
【課題を解決するための手段】
複数の鍋を合わせて１つの鍋の形とし、１つの加熱機器で複数の味付け料理が可能となるようにした。２種類だけでなく、複数の味付けを可能とするため、分割する鍋の形は、半円のものや３分の１円のものや４分の１円のものなどいろいろな組み合わせが可能となるようにした。また、それぞれの鍋に取っ手を付けることにより、１つの鍋のみの加熱も出来るようにした。
【０００３】
【考案の効果】
１つの加熱機器にて、複数の料理が可能なため、料理工数が減となる。
１回の料理にて、複数の味付け料理が楽しめる。
【図面の簡単な説明】
合体用の底なし枠鍋と、半円の鍋２つを使用した場合の平面図である。
【符号の説明】
１　分割鍋
２　分割鍋
３　枠鍋（底なし）
【図１】
0003098921.tif 000003